(57)【要約】      （修正有）【課題】顧客の新規な購入意欲を促進させるためのＯＣＲ用紙を印刷するための印刷装置用プログラム及びこのプログラムを使用して印刷された印刷物を提供する。【解決手段】予め商品名と前記商品名に対応する商品価格を記録し、これらを行列方向に複数配置されるように矩形状の商品表示欄に印刷するとともに、前記各商品表示欄の近傍に注文数を記入するためのＯＣＲ用の記入欄を印刷する特定顧客向けＯＣＲ用紙の印刷装置用プログラムであって、予め顧客名、顧客の世帯情報、及び前記商品名に対応した画像、及び前記顧客の嗜好情報、及び全ての顧客への推奨商品名、及び全ての顧客に季節毎に推奨すべき商品名を記録し、前記嗜好情報を優先して、前記嗜好記録、推奨商品記録及び季節毎の推奨商品記録の何れかから、前記特定顧客向けに推奨商品を決定し、決定された前記特定顧客向けに推奨商品に対応する画像を、前記拡大商品表示欄に印刷させる。【選択図】図３
2010092182.tif 000002
【特許請求の範囲】
【請求項１】
予め商品名を記録しておく商品名記録手段と、予め前記商品名に対応する商品価格を記録しておく商品価格記録手段とを備え、
前記商品名記録手段から読み出された前記商品名と、前記商品価格記録手段から読み出された前記商品名に対応する前記商品価格とを、行列方向に複数配置されるように矩形状の商品表示欄に印刷するとともに、前記各商品表示欄の近傍に前記商品表示欄に表示された商品の注文数を記入するためのＯＣＲ用の記入欄を印刷するために機能させる特定の顧客向けのＯＣＲ用紙を印刷するための印刷装置用プログラムであって、
予め顧客名及び前記顧客名の顧客の世帯情報を記録しておく顧客記録手段、
予め前記商品名に対応した画像を記録しておく画像記録手段、
予め前記顧客の嗜好に関する情報を記録しておく嗜好記録手段、
予め全ての顧客に推奨すべき商品名を記録しておく推奨商品記録手段、
予め全ての顧客に季節毎に推奨すべき商品名が記録しておく季節毎の推奨商品記録手段、
前記嗜好記録手段を優先して、前記嗜好記録手段、前記推奨商品記録手段及び前記季節毎の推奨商品記録手段の何れかの手段から、前記特定の顧客向けに推奨すべき商品を決定するための決定手段、及び
１つの前記商品表示欄の領域と比較して、行方向及び／又は列方向にそれぞれ２つ以上の前記商品表示欄の領域を有する矩形状の領域を拡大商品表示欄として、決定された前記特定の顧客向けに推奨すべき商品に対応する画像を前記画像データ記録手段から抽出して、前記拡大商品表示欄に印刷させる印刷手段
として機能させるための特定の顧客向けの印刷装置用プログラム。
【請求項２】
前記顧客の前記商品の購入履歴を記録した記録手段を備え、前記商品表示欄に印刷される商品と、前記購入履歴に記録された商品情報とが一致する場合には、前記商品表示欄に、網掛け印刷を行うことを特徴とする請求項１に記載の特定の顧客向けのＯＣＲ用紙を印刷するための印刷装置用プログラム。
【請求項３】
前記顧客の嗜好は、前記顧客に対して複数の商品の中からアンケートにより選択された商品名であることを特徴とする請求項１又は２に記載の特定の顧客向けのＯＣＲ用紙を印刷するための印刷装置用プログラム。
【請求項４】
前記拡大商品表示欄内に前記ＯＣＲ用の記入欄と、前記商品表示欄の近傍に設けられた前記ＯＣＲ用の記入欄とを、行方向に揃えて印刷することを特徴とする請求項１乃至３の何れか１項に記載の特定の顧客向けのＯＣＲ用紙を印刷するための印刷装置用プログラム。
【請求項５】
請求項１乃至４の何れか１項に記載のプログラムを使用して印刷されたことを特徴とする印刷物。
【発明の詳細な説明】
【技術分野】
【０００１】
本発明は、商品の発注のために使用されるＯＣＲ用紙を印刷するための印刷装置用プログラム及び印刷物に関する。
【背景技術】
【０００２】
従来、この種のＯＣＲ用紙として、特許文献１に開示がされている。
このＯＣＲ用紙は、商品の購入を希望する者（顧客）に配布され、顧客側で必要な商品の個数等が記入できるように、商品名や商品のグラム数等を表示した商品名表示欄及び個数等を記入するためのＯＣＲ用の欄が設けられている。
しかしながら、従来のＯＣＲ用紙では、同じ大きさの商品名表示欄が印刷されており、顧客に購入してもらいたい新商品等の購入の促進につながらないという問題があった。
【０００３】
【特許文献１】特開２００３−１４１２２８号公報（図１）
【発明の開示】
【発明が解決しようとする課題】
【０００４】
そこで、本発明は、顧客の新規な購入意欲を促進させるためのＯＣＲ用紙を印刷するための印刷装置用プログラム及びこのプログラムを使用して印刷された印刷物を提供することを目的とする。
【課題を解決するための手段】
【０００５】
本発明者等は、鋭意検討の結果、下記の通り解決手段を見いだした。
即ち、本発明の特定の顧客向けのＯＣＲ用紙を印刷するための印刷装置は、請求項１に記載の通り、予め商品名を記録しておく商品名記録手段と、予め前記商品名に対応する商品価格を記録しておく商品価格記録手段とを備え、前記商品名記録手段から読み出された前記商品名と、前記商品価格記録手段から読み出された前記商品名に対応する前記商品価格とを、行列方向に複数配置されるように矩形状の商品表示欄に印刷するとともに、前記各商品表示欄の近傍に前記商品表示欄に表示された商品の注文数を記入するためのＯＣＲ用の記入欄を印刷するために機能させる特定の顧客向けのＯＣＲ用紙を印刷するための印刷装置用プログラムであって、予め顧客名及び前記顧客名の顧客の世帯情報を記録しておく顧客記録手段、予め前記商品名に対応した画像を記録しておく画像記録手段、予め前記顧客の嗜好に関する情報を記録しておく嗜好記録手段、予め全ての顧客に推奨すべき商品名を記録しておく推奨商品記録手段、予め全ての顧客に季節毎に推奨すべき商品名が記録しておく季節毎の推奨商品記録手段、前記嗜好記録手段を優先して、前記嗜好記録手段、前記推奨商品記録手段及び前記季節毎の推奨商品記録手段の何れかの手段から、前記特定の顧客向けに推奨すべき商品を決定するための決定手段、及び１つの前記商品表示欄の領域と比較して、行方向及び／又は列方向にそれぞれ２つ以上の前記商品表示欄の領域を有する矩形状の領域を拡大商品表示欄として、決定された前記特定の顧客向けに推奨すべき商品に対応する画像を前記画像データ記録手段から抽出して、前記拡大商品表示欄に印刷させる印刷手段として機能させる。
また、請求項２に記載の本発明は、請求項１に記載の特定の顧客向けのＯＣＲ用紙を印刷するための印刷装置用プログラムにおいて、前記顧客の前記商品の購入履歴を記録した記録手段を備え、前記商品表示欄に印刷される商品と、前記購入履歴に記録された商品情報とが一致する場合には、前記商品表示欄に、網掛け印刷を行うことを特徴とする。
また、請求項３に記載の本発明は、請求項１又は２に記載の特定の顧客向けのＯＣＲ用紙を印刷するための印刷装置用プログラムにおいて、前記顧客の嗜好は、前記顧客に対して複数の商品の中からアンケートにより選択された商品名であることを特徴とする。
また、請求項４に記載の本発明は、請求項１乃至３の何れか１項に記載の特定の顧客向けのＯＣＲ用紙を印刷するための印刷装置用プログラムにおいて、前記拡大商品表示欄内に前記ＯＣＲ用の記入欄と、前記商品表示欄の近傍に設けられた前記ＯＣＲ用の記入欄とを、行方向に揃えて印刷することを特徴とする。
また、本発明の印刷物は、請求項５に記載の通り、請求項１乃至４の何れか１項に記載のプログラムを使用して印刷されたことを特徴とする。
【発明の効果】
【０００６】
本発明によれば、顧客の新規な需要を喚起させることができる。また、特定の顧客の購入履歴がある商品については、網掛け表示を行うことができ、購入し忘れを防止することができる。
【発明を実施するための最良の形態】
【０００７】
本発明のプログラムを使用して印刷される特定の顧客向けのＯＣＲ用紙は、特定の顧客に配布され、その者が、商品を発注できるように、矩形状の商品表示欄内に、商品名と価格とが表示され、その近傍に、商品の発注数を記入するための欄を有するものである。
以下に、本発明について、具体的に図面を参照して説明する。
図１は、本発明の一実施の形態の印刷装置のシステム構成図であり、図２は該装置により実行される処理のフローであり、図３は、該装置により印刷されたＯＣＲ用紙であり、図４は、該ＯＣＲ用紙の拡大商品表示欄である。
図１及び図２に示すように、中央処理装置は、メインメモリ中の制御プログラムの指令を受け、ＯＣＲ用紙が配布される特定の顧客に向けて、特定の商品を推奨するために、嗜好記録手段、推奨商品記録手段及び季節毎の推奨商品記録手段に記録されたデータを読み出し、嗜好記録手段に当該顧客への推奨商品が記録されている場合には、この推奨商品を優先して推奨商品とするものである。尚、推奨商品の決定に際しては、嗜好記録手段に、特定の顧客のキーワードや、味覚や年齢層等の嗜好を表すパラメータが記録されており、これらのキーワードやパラメータに対応する商品を商品名記録手段から読み出される。尚、嗜好記録手段に該当する商品名がない場合には、残りの推奨商品記録手段及び季節毎の推奨商品記録手段に記録されたデータの中から、季節毎の推奨商品記録手段に記録された商品を優先して推奨商品とすることが好ましい。顧客に向けて推奨する商品がなくなることを避けるためである。
また、決定に関しては、各手段間の優先順位を予め決定しておく必要があるが、その方法としては、各手段のデータ内に優先順位を記録するか、制御プログラムから読み出される各記録手段の順番を予め決定するようにする。また、更に、各手段において、複数の優先される商品がある場合には、これらの商品について、推奨する順位を予め決定しておき、優先順位の高い商品を選択するようにすればよい。
また、顧客に推奨した商品の時期を他の記録手段に記録しておき、決定された推奨商品が、前記推奨した時期から一定期間経過していない場合には、当該商品を推奨せずに、他の記録手段から商品を決定することが好ましい。短期間の間に同じ商品を推奨することを避けるためである。
各記録手段に記録されるデータは、予めキーボード等の入力手段により入力されるものであるが、この入力手段に関しては、本装置とは別の入力装置により入力して、外部記憶媒体や通信手段により転送してもよい。また、図２に示すように、入力の優先順位は特に設ける必要はない。
尚、本明細書において記録手段からのデータの読み出しや決定に関しては、周知のデータベースのプログラムを使用して行うことができる。また、出力としての印刷は、インクジェットやレーザー等の周知の印刷手段により行うことができる。また、この印刷に関して、商品名表示欄は、商品名や商品価格と同時でも、商品表示欄のみを先に印刷してもよい。
【０００８】
上記各記録手段に記録されているデータは以下の通りである。
１）商品名を記録しておく商品名記録手段
商品名が記録されたものである。
２）商品価格を記録しておく商品価格記録手段
上記商品名に対応する商品の価格が記録されたものである。
３）顧客名及び該顧客に関する世帯情報が記録された顧客記録手段
ＯＣＲ用紙が配布される特定の顧客の氏名や名称等の顧客名と、顧客の世代、家族構成等の世帯情報が記録されたものである。
４）商品名に対応した画像が記録された画像記録手段
商品名や商品名に付されたコードに対応して、周知の形式で保存された画像データが記録されたものである。
５）顧客の嗜好に関する情報が記録された嗜好記録手段
顧客記録手段に記録された顧客に対して、アンケートにより、好みの商品、顧客の好みの味付け、無農薬の野菜か否か等の顧客の興味関心がある情報やこの情報に関するキーワードが記録されたものである。例えば、顧客の趣味がゴルフである場合には、キーワードとして「ゴルフ」が記録され、薄い味付けを嗜好する場合には、「薄味」等のキーワードか、これに対応する数値が付与される。
６）全ての顧客に推奨すべき商品名が記録された推奨商品記録手段
推奨商品とは、初期の状態で、ＯＣＲ用紙に表示すべき商品をいうものとし、この推奨商品の商品名が記録されたものである。
７）全ての顧客に季節毎に推奨すべき商品名が記録された季節毎の推奨商品記録手段
四季、年中行事や月ごとに顧客に推奨するための商品名が記録されたものである。
【０００９】
上記手段により、印刷装置により、ＯＣＲ用紙が印刷される。このＯＣＲ用紙には、図３に示すように、行列方向に隣接して矩形状の商品表示欄１が印刷される。この矩形状の商品表示欄１には、少なくとも、商品名２と価格３が印刷されるが、必要に応じて、商品のグラム数や生産地等を印刷してもよい。この場合には、商品の属性情報を記録した更なる記録手段を設ける必要がある。また、矩形状の商品表示欄１の寸法は、特に制限するものではないが、幅５〜１０ｍｍ、高さ２０〜４０ｍｍ程度とすることができる。尚、商品表示欄１の形状の矩形状には、四隅の角部を丸く形成したものも含まれるものとする。
また、商品表示欄１の近傍、好ましくは、下方には、商品表示欄１に表示された商品の注文数を記入するためのＯＣＲ用の記入欄４が印刷される。このＯＣＲ用の記入欄４は、ＯＣＲにより読み取り可能な寸法であれば特に制限を設けるものではないが、幅４〜８ｍｍ、高さ５〜８ｍｍ程度とすることができる。また、行方向の間隔についても特に制限するものではないが、１〜３ｍｍ程度とすることができる。
また、図示されるように、行方向に印刷された商品表示欄とＯＣＲ用の記入欄の群５，６間の間隔についても特に制限するものではないが、２〜５ｍｍ程度とすることができる。
【００１０】
そして、上記決定された特定の顧客向けに推奨すべき商品に対応する商品画像データは、図３に示すように、ＯＣＲ用紙の左上側の拡大商品表示欄７に印刷される。この拡大商品表示欄７は、１つの商品表示欄１の領域と比較して、行方向及び／又は列方向にそれぞれ２つ以上の商品表示欄１の領域を有する矩形状の領域として規定される。尚、拡大商品表示欄７の形状の矩形状には、四隅の角部を丸く形成したものも含まれるものとする。尚、拡大商品表示欄７を印刷する箇所については特に制限はないが、見た目を良くするためには、他の商品表示欄１と行方向又は列方向を揃えることが好ましい。
また、拡大商品表示欄７内に、ＯＣＲ用の記入欄８を設け、商品表示欄１の近傍に設けられたＯＣＲ用の記入欄４とを行方向に揃えて印刷することが好ましい。拡大商品表示欄７と商品表示欄１のＯＣＲ用の記入欄４，８が行方向に揃えられているため、行方向にＯＣＲを行う際に、他の商品表示欄１のＯＣＲ用の記入欄８と同様に読み取りが可能となるからである。
また、前記拡大商品表示欄７には、特定の顧客名、商品名、商品の属性等を印刷するようにしてもよい。
このように、拡大商品表示欄７を印刷することにより、ＯＣＲ用紙が配布される特定の顧客に対して、他の商品よりも広い領域に表示された商品の画像により、購買意欲を促進させることが可能となる。
【００１１】
また、上記印刷装置の構成に対して、更に、顧客の商品の購入履歴を記録した記録手段を設け、商品表示欄１に印刷される商品と、購入履歴に記録された商品情報とが一致する場合には、商品表示欄１に、網掛け印刷１ａを行うようにすることが好ましい。
購入履歴のある商品の商品表示欄に網掛け印刷をすることにより、当該商品を目立たせることにより、顧客が、定期的に購入する商品の発注のし忘れを防ぐとともに、継続した購入を期待することができるからである。
また、更に、拡大商品表示欄７に表示されなかった商品であって、推奨すべき商品について上記網掛け印刷１ａと異なる色の網掛け印刷１ｂを行うようにしてもよい。この場合にも、顧客に推奨した商品の時期を他の記録手段に記録しておき、決定された推奨商品が、前記推奨した時期から一定期間経過していない場合には、当該商品を推奨せずに、他の記録手段から商品を決定することが好ましい。短期間の間に同じ商品を推奨することを避けるためである。
【図面の簡単な説明】
【００１２】
【図１】本発明の一実施の形態の印刷装置のシステム構成図
【図２】同装置により実行される処理のフロー
【図３】本発明のＯＣＲ用紙の説明図
【図４】同ＯＣＲ用紙の拡大商品表示欄の説明図
【符号の説明】
【００１３】
１  商品表示欄
１ａ，１ｂ  網掛け印刷
２  商品名
３  商品価格
４  ＯＣＲ用の記入欄
５  商品表示欄の行方向の群
６  商品表示欄の行方向の群
７  拡大商品表示欄
８  拡大商品表示欄のＯＣＲ用の記入欄
【図１】
2010092182.tif 000003
【図２】
2010092182.tif 000004
【図３】
2010092182.tif 000005
【図４】
2010092182.tif 000006
【手続補正書】
【提出日】平成20年11月17日(2008.11.17)
【手続補正１】
【補正対象書類名】図面
【補正対象項目名】図３
【補正方法】変更
【補正の内容】
【図３】
2010092182.tif 000007
【手続補正２】
【補正対象書類名】図面
【補正対象項目名】図４
【補正方法】変更
【補正の内容】
【図４】
2010092182.tif 000008